(57)【要約】【課題】伸縮自在棚の前棚を後棚内に収納した状態で使用する際、後棚上に食品を載置しても伸縮自在棚が回転せず安定した状態で使用できる。【解決手段】内箱５に設けた棚を支えるレール部２３に突起部２４と切欠き部９を備え、前棚２２にはレール下方に位置する引掛け爪８及び、前部にはリブ１１を設け、前棚２２を後方の後棚３へ収納時、リブ１１と突起部２４が当接した状態で引掛け爪８はレール部２３の下方に位置し後棚３の回動を防止し、さらに前棚２２を後方へ移動させリブ１１が突起部２４を乗り越えた状態で引掛け爪８は切欠き部９に位置することで、前棚２２を後棚３内に収納して使用する際、前棚２２の浮き上がり及び回動を防止でき安定した状態で使用でき、また、前棚２２を突起部２４を乗り越えさらに押し込めば、伸縮自在棚２１を後方へ回動でき、使い勝手の向上が図れる。【選択図】　図１
2004116844.tif 000002
【特許請求の範囲】
【請求項１】
貯蔵室内に食品等を載置するように設けられた前棚と後棚からなり前記前棚は前後方向へ摺動可能で、前記前棚を後ろへ摺動させ前記後棚の下部に収納し、後棚に設けた回転軸を中心に回動させることが可能な伸縮自在棚を有したものにおいて、前記前棚を後棚の下部の第１の位置に収納したとき、前記前棚と内箱に設けた前記前棚および後棚を支えるレール部との係合により前記前棚および後棚の回動を防止し、さらに前棚を後方の第２の位置に移動させると前記前棚と前記レール部との係合が解除され、後棚に設けた回転軸を中心に前記前棚および後棚を回動可能としたことを特徴とする冷蔵庫。
【請求項２】
貯蔵室内に食品等を載置するように設けられた前棚と後棚からなり前記前棚は前後方向へ摺動可能で、前記前棚を後ろへ摺動させ前記後棚の下部に収納し、後棚に設けた回転軸を中心に回動させることが可能な伸縮自在棚を有したものにおいて、内箱に設けた前記前棚および後棚を支えるレール部に突起部と切欠き部を備え、前記前棚には前記レール下部に位置する引掛け爪及び、前部にはリブを設け、前棚を後方の後棚の下部へ収納時、前記リブと突起部が当接した状態で前記引掛け爪は前記レール部下方に位置し前記前棚および後棚の回動を防止し、さらに前棚を後方へ移動させ前記リブが突起部を乗り越えた状態で前記引掛け爪は切欠き部に位置し、後棚に設けた回転軸を中心に前記前棚および後棚を回動させることが可能としたことを特徴とする冷蔵庫。
【請求項３】
内箱に設けた棚を支えるレール部に設ける突起部は前記内箱と一体に成形することを特徴とする請求項２に記載の冷蔵庫。
【請求項４】
内箱に設けた棚を支えるレール部に設ける突起部は前記内箱とは別体で設けたことを特徴とする請求項２に記載の冷蔵庫。
【請求項５】
別体の突起部はゴム系の材料としたことを特徴とする請求項４に記載の冷蔵庫。
【請求項６】
レール部に設けた突起部の高さ寸法と、引掛け爪とレール部下辺との隙間寸法を略同一としたことを特徴とする請求項２から請求項５のいずれか一項に記載の冷蔵庫。
【請求項７】
前棚の前部に設けたリブは突起部と面当たりするように平面部を設けたことを特徴とする請求項２から請求項６のいずれか一項に記載の冷蔵庫。
【発明の詳細な説明】
【０００１】
【発明の属する技術分野】
本発明は、貯蔵室内に棚を備えた冷蔵庫に関するものである。
【０００２】
【従来の技術】
近年の冷蔵庫においては、様々な大きさの食品を収納させることにより商品価値向上をねらっている。そのため、回動式の伸縮自在棚を持ったものが多い。
【０００３】
以下、図面を参照しながら上記従来の冷蔵庫を説明する。
【０００４】
図６は、従来の冷蔵庫の貯蔵室内の断面図であり、図７は、同冷蔵庫の伸縮自在棚部分の前棚を前方へ引出した状態の断面図、図８は、同冷蔵庫の伸縮自在棚部分の前棚を後方へ押し込んだ状態の断面図、図９は、同冷蔵庫の伸縮自在棚部分の前棚を後方へ押し込んだ状態の断面図、図１０は、同冷蔵庫の伸縮自在棚の前棚の裏面図、図１１は、同冷蔵庫の伸縮自在棚の前棚の正面図である。
【０００５】
図６から図１１において、伸縮自在棚１は前棚２及び後棚３から成り、後棚３には回転軸４があり、５は貯蔵室の内箱であり、棚を支えるレール６、軸受け部７を備えている。また、前棚２には、引掛け爪８があり、レール６には、切欠き９がある。１０は、伸縮自在棚１の下の棚であり、１１はリブである。
【０００６】
以上のように構成された冷蔵庫について、以下その動作を説明する。
【０００７】
伸縮自在棚１は、レール６上に設置されており、回転軸４は、軸受け部７上にある。前棚２を前方へ引出して使えば、前棚２及び後棚３上に食品を載置できる。また、前棚２を後方へ押し込み後棚３内へ収納すれば、後棚３上のみ食品を載置できるが、棚１０上に前棚２のあった部分に背の高い食品を載置できる。さらに、前棚２を後棚３内に収納した状態で、回転軸４を中心にして伸縮自在棚１を回動させ後方へ立てかけてやれば、棚１０上に前棚２及び後棚３のあった部分に背の高い食品を載置できる。ここで、引掛け爪８は、レール６の下部に位置させ前棚の浮き上がりを防止する。また、前棚２を後棚３内に収納した状態で、回転軸４を中心にして伸縮自在棚１を回転させる場合は、引掛け爪８は、レール６の切欠き９を通過することにより回転することができる。（例えば、特許文献１参照）。
【０００８】
【特許文献１】
特開平１０−１６０３３５号公報
【０００９】
【発明が解決しようとする課題】
しかしながら、上記従来の構成では、前棚２を後棚３内に収納した状態で使用する際、引掛け爪８が、切欠き９の位置と合致しているためレール６に引掛け爪８が掛からず後棚３上に食品を載置すれば伸縮自在棚１が食品の重量により後方へ回転しようとするといった不安定な状態になるという欠点があった。
【００１０】
本発明は、従来の課題を解決するもので、前棚２を後棚３内に収納した状態で使用する際において伸縮自在棚を安定した状態で使用できる冷蔵庫を提供することを目的とする。
【００１１】
【課題を解決するための手段】
本発明の請求項１に記載の発明は、貯蔵室内に食品等を載置するように設けられた前棚と後棚からなり前記前棚は前後方向へ摺動可能で、前記前棚を後ろへ摺動させ前記後棚の下部に収納し、後棚に設けた回転軸を中心に回動させることが可能な伸縮自在棚を有したものにおいて、前記前棚を後棚の下部の第１の位置に収納したとき、前記前棚と内箱に設けた前記前棚および後棚を支えるレール部との係合により前記前棚および後棚の回動を防止し、さらに前棚を後方の第２の位置に移動させると前記前棚と前記レール部との係合が解除され、後棚に設けた回転軸を中心に前記前棚および後棚を回動可能としたものであり、前棚を前記後棚内に収納し、後棚に食品を載置して使用する際、後棚の回動を防止しているので食品の転倒、落下が生じず、安定した状態で使用できる。
【００１２】
請求項２に記載の発明は、貯蔵室内に食品等を載置するように設けられた前棚と後棚からなり前記前棚は前後方向へ摺動可能で、前記前棚を後ろへ摺動させ前記後棚の下部に収納し、後棚に設けた回転軸を中心に回動させることが可能な伸縮自在棚を有したものにおいて、内箱に設けた前記前棚および後棚を支えるレール部に突起部と切欠き部を備え、前記前棚には前記レール下部に位置する引掛け爪及び、前部にはリブを設け、前棚を後方の後棚の下部へ収納時、前記リブと突起部が当接した状態で前記引掛け爪は前記レール部下方に位置し前記前棚および後棚の回動を防止し、さらに前棚を後方へ移動させ前記リブが突起部を乗り越えた状態で前記引掛け爪は切欠き部に位置し、後棚に設けた回転軸を中心に前記前棚および後棚を回動させることが可能としたものであり、前棚を前記後棚内に収納して使用する際、前記前棚を後方へ摺動させると前記前棚に設けた前記リブが前記突起部に当たり、その位置で使用すれば前記引掛け爪が前記レール部に掛かっているため前棚の浮き上がり及び回動しようとするのを防止でき前記後棚に食品を載置しても安定した状態で使用できる。また、前記前棚を前記突起部を乗り越えさらに押し込めば、前記引掛け爪と前記切欠き部の位置が合致し、前記引掛け爪は前記レール部の切欠き部を通過することにより、伸縮自在棚を後方へ回動できる。
【００１３】
請求項３に記載の発明は、請求項２に記載の発明において、内箱に設けた棚を支えるレール部に設ける突起部は前記内箱と一体に成形するものであり、低コスト化と確実な位置決めが可能となる。
【００１４】
請求項４に記載の発明は、請求項２に記載の発明において、内箱に設けた棚を支えるレール部に設ける突起部は前記内箱とは別体で設けたものであり、内箱の成形性を向上できる。
【００１５】
請求項５に記載の発明は、請求項４に記載の発明において、別体の突起部はゴム系の材料としたものであり、前棚のリブと接触するときの音を低減できる。
【００１６】
請求項６に記載の発明は、請求項２から請求項５のいずれか一項に記載の発明において、レール部に設けた突起部の高さ寸法と、引掛け爪とレール部下辺との隙間寸法を略同一としたものであり、前棚を後方の後棚へ収納時、前記リブと突起部が当設した状態で後棚の上下方向のガタツキを最小限に抑えることができる。また、前棚をさらに後方へ移動させ前記リブが突起部を乗り越えた状態への摺動をスムーズに行なうことができる。
【００１７】
請求項７に記載の発明は、請求項２から請求項６のいずれか一項に記載の発明において、前棚の前部に設けたリブは突起部と面当たりするように平面部を設けたものであり、前棚の接触により突起部が傷ついたり変形するのを防止することができる。
【００１８】
【発明の実施の形態】
以下、本発明による冷蔵庫の実施の形態について、図面を参照しながら説明する。なお、従来と同一構成については、同一符号を付して詳細な説明を省略する。
【００１９】
（実施の形態１）
図１は本発明の実施の形態１による冷蔵庫の伸縮自在棚部分の前棚を前方へ引出した状態の断面図、図２は同実施の形態の冷蔵庫の前棚を後方へ押し込んだ状態の断面図、図３は同実施の形態の冷蔵庫の前棚の裏面図、図４は同実施の形態の冷蔵庫の前棚を後方へ押し込んだ状態の要部断面図である。
【００２０】
図１から図４において、樹脂成形品からなる伸縮自在棚２１は前棚２２及び後棚３から成り、後棚３には回転軸４を有している。５は貯蔵室の内箱であり樹脂を真空成形したもので、内箱５の両側面には棚を支えるレール部２３、軸受け部７を備えている。また、レール部２３には、切欠き部９及び、レール部２３と一体に成形された突起部２４があり、前棚２２には、レール部２３の下方に位置し、レール部２３との係合により前記前２２棚および後棚３の回動を防止するために設けた引掛け爪８と、前棚２２の前部のリブ１１には突起部２４と面当たりするように平面部２５を備えている。
【００２１】
また、前棚２２を後方の後棚３の下部の第１の位置に収納したとき、前記リブ１１と突起部２４が当接した状態で前記引掛け爪８は前記レール部２３の下方に位置し後棚３の回動を防止し、さらに前棚２２を後方へ移動させ第２の位置とした時、前記リブ１１が突起部２４を乗り越えた状態で前記引掛け爪８は切欠き部９に位置し、前記前棚と前記レール部との係合が解除され、後棚３に設けた回転軸４を中心に回動可能となっている。
【００２２】
また、図４に示すように、レール部２３に設けた突起部２４の高さ寸法Ａと、引掛け爪８とレール部２３の下辺との隙間寸法Ｂを略同一に設定している。
【００２３】
なお、隙間寸法Ｂを突起部２４の高さ寸法Ａより若干大きくすることが望ましい。
【００２４】
以上のように構成された冷蔵庫について、以下その動作を説明する。
【００２５】
まず、伸縮自在棚２１の前棚２２を前方へ引出した状態で使用すれば、前棚２２及び、後棚３上に食品を載置することができる。次に、前棚２２を後方へ押し込めば、前棚２２は、レール部２３上を摺動し平面部２５が突起部２４に接触する第１の位置に到達した時点で前棚２２が停止し、後棚３の下部に前棚２２が収納される。この状態で使用すれば、伸縮自在棚２１の奥行半幅である後棚３上に食品を載置することができるとともに、前棚２２の引掛け爪８が、レール部２３に当接するところに位置しているため伸縮自在棚２１が後方へ回動するのを防止することができ安定した状態で使用できる。そして前棚２２をさらに押し込めば、平面部２５が突起部２４を乗越え、引掛け爪８と切欠き部９の位置が合致する第２の位置に前棚２２が移動するので引掛け爪８がレール部２３の切欠き部９を通過し、伸縮自在棚２１を後方へ回動させることができ、全幅に亘って背の高い食品を収納でき、使い勝手が向上する。
【００２６】
また、突起部２４を内箱５と一体に成形することにより、切欠き部９と突起部２４位置関係、寸法がずれることなく、伸縮自在棚２１の操作性が確実になる。
【００２７】
また、前棚２２の前部のリブ１１には突起部２４と面当たりするように平面部２５を備えているので、突起２４への傷つき、変形を防止することができ、伸縮自在棚２１の操作に不具合が生じない。さらに、前棚２２の前部のリブ１１に平面部２５を設けることにより、前棚２２の摺動時に左右方向のガタツキが生じても、突起部２４への当接が確実となる。
【００２８】
また、レール部２３に設けた突起部２４の高さ寸法Ａと、引掛け爪８とレール部２３の下辺との隙間寸法Ｂを略同一に設定しているので、前棚２２を後方の後棚３へ収納時、前記リブ１１の平面部２５と突起部２４が当接した状態で後棚３の上下方向のガタツキを最小限に抑えることができ、安定感が増す。また、前棚２２をさらに後方へ移動させ前記リブ１１が突起部２４を乗り越える場合の前棚２２の上下動のクリアランスを確保でき、前棚２２の摺動をスムーズに行なうことができる。
【００２９】
なお、前棚２２を第１の位置で固定し、第２の位置で固定解除する具体的な構造については、本実施の形態の具体構造に必ずしも限定されるものでなく、第１の位置で前棚２２とレール部２３とが相互の係合構造によって係止され、第２の位置に移動すれば前棚２２とレール部２３の係合状態が外されて前棚２２が後棚３とともに回動可能となる相互構造の組み合わせであれば、同様の作用効果を得ることができるものである。
【００３０】
（実施の形態２）
図５は、本発明の実施の形態２による冷蔵庫の伸縮自在棚部分の断面図である。なお、実施の形態１と同一構成については省略し、異なる部分のみ説明する。
【００３１】
図５において、２６は、棚を支えるレール部であり、突起部２７は内箱５とは別体の部品として固定され、ゴム系の材料からなるものである。
【００３２】
上記構成において、伸縮自在棚２１の前棚２２を後方へ押し込めば、前棚２２は、レール部２６上を摺動し平面部２５が突起部２７に接触した時点で前棚２２が停止し、後棚３の下部に前棚２２が収納される。この時、突起部２７は、ゴム系の材料であるので、平面部２５との接触時の音を低減することができ、使用者に不快感を与えない。また、突起部２７はゴム系の材料であるので弾性を有することで接触時にリブ１１が破損することもない。また、突起部２７は前記内箱５とは別体で設けることにより内箱５の形状を簡素化でき、内箱５の成形性を向上できる。
【００３３】
【発明の効果】
以上説明したように請求項１に記載の発明は、貯蔵室内に食品等を載置するように設けられた前棚と後棚からなり前記前棚は前後方向へ摺動可能で、前記前棚を後ろへ摺動させ前記後棚の下部に収納し、後棚に設けた回転軸を中心に回動させることが可能な伸縮自在棚を有したものにおいて、前記前棚を後棚の下部の第１の位置に収納したとき、前記前棚と内箱に設けた前記前棚および後棚を支えるレール部との係合により前記前棚および後棚の回動を防止し、さらに前棚を後方の第２の位置に移動させると前記前棚と前記レール部との係合が解除され、後棚に設けた回転軸を中心に前記前棚および後棚を回動可能としたものであり、前棚を前記後棚内に収納し、後棚に食品を載置して使用する際、後棚の回動を防止しているので食品の転倒、落下が生じず、安定した状態で使用できる。
【００３４】
また、請求項２に記載の発明は、貯蔵室内に食品等を載置するように設けられた前棚と後棚からなり前記前棚は前後方向へ摺動可能で、前記前棚を後ろへ摺動させ前記後棚の下部に収納し、後棚に設けた回転軸を中心に回動させることが可能な伸縮自在棚を有したものにおいて、内箱に設けた前記前棚および後棚を支えるレール部に突起部と切欠き部を備え、前記前棚には前記レール下部に位置する引掛け爪及び、前部にはリブを設け、前棚を後方の後棚の下部へ収納時、前記リブと突起部が当接した状態で前記引掛け爪は前記レール部下方に位置し前記前棚および後棚の回動を防止し、さらに前棚を後方へ移動させ前記リブが突起部を乗り越えた状態で前記引掛け爪は切欠き部に位置し、後棚に設けた回転軸を中心に前記前棚および後棚を回動させることが可能としたものであり、前棚を後棚内に収納して使用する際、前棚の浮き上がり及び回動を防止でき安定した状態で使用できる。また、前棚を突起部を乗り越えさらに押し込めば、伸縮自在棚を後方へ回動でき、使い勝手の向上が図れる。
【００３５】
また、請求項３に記載の発明は、請求項２に記載の発明において、内箱に設けた棚を支えるレール部に設ける突起部は前記内箱と一体に成形するものであり、低コスト化と確実な位置決めが可能となり操作性が向上する。
【００３６】
また、請求項４に記載の発明は、請求項２に記載の発明において、内箱に設けた棚を支えるレール部に設ける突起部は前記内箱とは別体で設けたものであり、内箱の成形性を向上できる。
【００３７】
また、請求項５に記載の発明は、請求項４に記載の発明において、別体の突起部はゴム系の材料としたものであり、前棚のリブと接触するときの音を低減できる。またリブの破損を防止できる。
【００３８】
また、請求項６に記載の発明は、請求項２から請求項５のいずれか一項に記載の発明において、レール部に設けた突起部の高さ寸法と、引掛け爪とレール部下辺との隙間寸法を略同一としたものであり、前棚を後方の後棚へ収納時、前記リブと突起部が当設した状態で後棚の上下方向のガタツキを最小限に抑えることができる。また、前棚をさらに後方へ移動させ前記リブが突起部を乗り越えた状態への摺動をスムーズに行なうことができる。
【００３９】
また、請求項７に記載の発明は、請求項２から請求項６のいずれか一項に記載の発明において、前棚の前部に設けたリブは突起部と面当たりするように平面部を設けたものであり、前棚の接触により突起部が傷ついたり変形するのを防止することができる。
【図面の簡単な説明】
【図１】本発明による冷蔵庫の実施の形態１の伸縮自在棚部分の前棚を前方へ引出した状態の断面図
【図２】同実施の形態の冷蔵庫の伸縮自在棚の前棚を後方へ押し込んだ状態の断面図
【図３】同実施の形態の冷蔵庫の伸縮自在棚の前棚の裏面図
【図４】同実施の形態の冷蔵庫の前棚を後方へ押し込んだ状態の要部断面図
【図５】本発明による冷蔵庫の実施の形態２の伸縮自在棚部分の断面図
【図６】従来の冷蔵庫の貯蔵室の断面図
【図７】従来の冷蔵庫の伸縮自在棚部分の前棚を前方へ引出した状態の断面図
【図８】従来の冷蔵庫の伸縮自在棚部分の前棚を後方へ押し込んだ状態の断面図
【図９】従来の冷蔵庫の伸縮自在棚を後方へ回転させた状態の断面図
【図１０】従来の冷蔵庫の伸縮自在棚の前棚の裏面図
【図１１】従来の冷蔵庫の伸縮自在棚の前棚の正面図
【符号の説明】
３　　後棚
４　　回転軸
５　　内箱
８　　引掛け爪
９　　切欠き部
１１　リブ
２１　伸縮自在棚
２２　前棚
２３、２６　レール部
２４、２７　突起部
２５　平面部
Ａ　　突起部の高さ寸法
Ｂ　　引掛け爪とレール部下辺との隙間寸法
【図１】
2004116844.tif 000003
【図２】
2004116844.tif 000004
【図３】
2004116844.tif 000005
【図４】
2004116844.tif 000006
【図５】
2004116844.tif 000007
【図６】
2004116844.tif 000008
【図７】
2004116844.tif 000009
【図８】
2004116844.tif 000010
【図９】
2004116844.tif 000011
【図１０】
2004116844.tif 000012
【図１１】
2004116844.tif 000013